(57)【要約】  光源２ａからの光は入射角度調整面８ａを介して導光板３内に入射され、反射面６に設けられた調整部６ａを介して部分領域７ａから出射される。光源２ｂからの光は入射角度調整面８ｂを介して導光板３内に入射され、反射面６に設けられた調整部６ｂを介して部分領域７ｂから出射される。光源２ｃからの光は入射角度調整面８ｃを介して導光板３内に入射され、反射面６に設けられた調整部６ｃを介して部分領域７ｃから出射される。各光源２ａ，２ｂ，２ｃの発光を制御することにより、部分領域７ａ，７ｂ，７ｃにおける輝度をそれぞれ独立して任意に変更調整することができる。
2010050489.tif 000002
【特許請求の範囲】
【請求項１】
複数の光源と、これらの光源からの光を導く導光体とを備える光源装置であって、
前記導光体は、前記光源からの光が入射する入射部と、この入射部から入射した光を内部に導いて出射させる導光体本体とを備え、
前記導光体本体は、当該導光体本体内を伝搬する光を反射する反射面と、この反射面に対向し、前記反射面で反射した光を出射する出射面とを備え、
前記出射面は、互いに位置が異なる複数の部分領域を備え、
前記複数の光源は、前記複数の部分領域に対応する複数の群に分類され、
前記光源装置は、各群を構成する光源からの光が、当該群に対応する前記部分領域から前記導光体本体の外部へ出射されるように出射位置を制御する出射位置制御構造を備える光源装置。
【請求項２】
前記出射位置制御構造は、前記入射部を介して前記光源から前記導光体本体内に入射する光の、前記導光体の厚み方向に対する入射方向が、互いに異なる複数種類の光となるように制御する入射方向制御部と、前記反射面および前記出射面の少なくとも一方に設けられ、各部分領域に対して、対応する光を導くための調整部とを有する請求項１に記載の光源装置。
【請求項３】
前記調整部は、前記入射部に近い側から遠い側に向かう第１方向に沿って順次配置されており、傾斜角度が互いに異なるように設定された傾斜面を有する請求項２に記載の光源装置。
【請求項４】
前記反射面は、前記入射部より遠くなるほど、前記出射面との距離が段階的に小さくなるように形成されている請求項２に記載の光源装置。
【請求項５】
前記傾斜面の傾斜角度は、前記導光体の厚さ方向に直交する面に対して、前記入射部に近い側から遠い側に向かって順次に大きくなるように設定された請求項３に記載の光源装置。
【請求項６】
前記調整部は、前記第１方向に直交する第２方向に長手方向を有するとともに、該第１方向に配列された複数の前記傾斜面を有する条列からなる請求項５に記載の光源装置。
【請求項７】
前記入射方向制御部は、前記入射部に設けられた傾斜角度が互いに異なる複数の入射角度調整面を有し、
前記光源は、その主光線の方向がそれぞれ対応する前記入射角度調整面の法線方向に略一致するように設けられた請求項２〜６のいずれか一項に記載の光源装置。
【請求項８】
前記導光体の前記出射面側に配置された光拡散板をさらに備える請求項１〜７のいずれか一項に記載の光源装置。
【請求項９】
液晶パネルと、請求項１〜８のいずれか一項に記載の光源装置とを備える液晶表示装置。
【発明の詳細な説明】
【技術分野】
【０００１】
本発明は、被照明体を照明するための光源装置、および該光源装置を備える液晶表示装置に関する。
【背景技術】
【０００２】
液晶表示装置においては、消費電力を低減させつつ実効的なコントラストや動画追従性を向上させる技術として、ローカルディミングと呼ばれる技術が開発されている。このローカルディミングは、周囲の明るさにあわせてバックライトの輝度を調整したり、表示画像データにあわせてバックライトを場所的および時間的に制御してダイナミックに明るさを変更するものである。【０００３】
このようなローカルディミング等に関する従来技術としては、全発光領域を複数に分割した部分領域毎に、それぞれに導光板と該導光板の側面に配置されたＬＥＤとからなるユニットを配置して、各ユニット毎にＬＥＤの点灯および消灯、あるいは発光量を制御するようにしたものが提案されている（例えば、特許文献１（特開２００７−２９３３３９号公報、対応米国公報ＵＳ２００７２４７８７１  Ａ１）、特許文献２（特開２００８−２１４２０号公報、対応米国公報ＵＳ２００８００７９５０  Ａ１）参照）。【０００４】
しかしながら、従来技術では、各ユニット毎にＬＥＤを配置しているため、ユニットとこれに隣接するユニットとの境界部分にＬＥＤが存在する、即ち発光領域内にＬＥＤが存在することとなり、ＬＥＤ自身や該ＬＥＤへ電力を供給するための配線等が、均一な照明の妨げとなったり、ユニット間の境界部分から光洩れを生じる等、高い光学的性能を実現できない場合があり、これらを抑制するための特別な工夫を必要とするという問題があった。また、部分領域の数が多くなると、製造面でその工数やコストが増大するという問題もあった。【０００５】
本発明はこのような点に鑑みなされたものであり、製造工数やコストを低減できるとともに、良好な光学的性能を実現することができる光源装置、およびこれを備える液晶表示装置を提供することを目的とする。
【発明の概要】
【課題を解決するための手段】
【０００６】
本発明の第１の観点によると、複数の光源と、これらの光源からの光を導く導光体とを備える光源装置であって、前記導光体は、前記光源からの光が入射する入射部と、この入射部から入射した光を内部に導いて出射させる導光体本体とを備え、前記導光体本体は、当該導光体本体内を伝搬する光を反射する反射面と、この反射面に対向し、前記反射面で反射した光を出射する出射面とを備え、前記出射面は、互いに位置が異なる複数の部分領域を備え、前記複数の光源は、前記複数の部分領域に対応する複数の群に分類され、前記光源装置は、各群を構成する光源からの光が、当該群に対応する前記部分領域から前記導光体本体の外部へ出射されるように出射位置を制御する出射位置制御構造を備える光源装置が提供される。
前記出射位置制御構造は、光源装置中に任意の一以上の部品の構造としうるが、具体的には、前記導光体の一箇所又は複数箇所の構造としうる。または例えば、前記導光体の一箇所若しくは複数箇所の構造と他の部品（例えば、前記光源を支持する支持基板）の構造との組み合わせとしうる。【０００７】
本発明の第２の観点によると、複数の光源と、これらの光源からの光を導く導光体とを備える光源装置であって、前記導光体は、前記光源からの光が入射する入射部と、この入射部から入射した光を内部に導いて出射させる導光体本体とを備え、前記導光体本体は、当該導光体本体内を伝搬する光を反射する反射面と、この反射面に対向し、前記反射面で反射した光を出射する出射面とを備え、前記出射面は、互いに位置が異なる複数の部分領域を備え、前記複数の光源は、前記複数の部分領域に対応する複数の群に分類され、前記光源装置は、各群を構成する光源からの光が、当該群に対応する前記部分領域から前記導光体本体の外部へ出射されるように出射位置を制御する出射位置制御構造を備え、前記出射位置制御構造は、前記入射部を介して前記光源から前記導光体本体内に入射する光の、前記導光体の厚み方向に対する入射方向が、互いに異なる複数種類の光となるように制御する入射方向制御部と、前記反射面および前記出射面の少なくとも一方に設けられ、各部分領域に対して、対応する光を導くための調整部とを有する光源装置が提供される。【０００８】
本発明の第２の観点に係る光源装置において、前記調整部は、前記入射部に近い側から遠い側に向かう第１方向に沿って順次配置されており、前記導光体の厚み方向に対する傾斜角度が互いに異なるように設定された傾斜面を有することができる。【０００９】
本発明の第２の観点に係る光源装置において、前記反射面は、前記入射部より遠くなるほど、前記出射面との距離が段階的に小さくなるように形成することができる。【００１０】
本発明の第２の観点に係る光源装置において、前記傾斜面の傾斜角度は前記入射部に近い側から遠い側に向かって順次（連続的または段階的）に大きくなるように設定することができる。【００１１】
本発明の第２の観点に係る光源装置において、前記調整部は、前記第１方向に直交する第２方向に長手方向を有するとともに、該第１方向に配列された複数の前記傾斜面を有する条列から構成することができる。【００１２】
本発明の第２の観点に係る光源装置において、前記入射方向制御部は、前記入射部に対する前記光源をそれぞれ所定の姿勢または任意の姿勢で支持する支持部と、前記入射部に設けられた傾斜角度が互いに異なる複数の入射角度調整面との少なくとも一方を含んで構成することができる。前記入射方向制御部が前記入射角度調整面を含む場合において、前記光源をその主光線の方向がそれぞれ対応する前記入射角度調整面の法線方向に略一致するように設けることができる。【００１３】
本発明の第１または第２の観点に係る光源装置において、前記導光体の前記出射面側に配置された光拡散板をさらに備えることができる。【００１４】
本発明の第３の観点によると、液晶パネルと、本発明の第１または第２の観点に係る光源装置とを備える液晶表示装置が提供される。
【発明の効果】
【００１５】
本発明の第１の観点に係る光源装置では、各群を構成する光源からの光を、当該群に対応する部分領域から出射させるようにしたので、光源を導光体の端部に配置することができるとともに、光源の発光量を各群毎に制御することにより、各部分領域についての輝度を任意に変更することができる。従って、光学的性能の低下を招くことなく、製造工数やコストを低減することができる。【００１６】
本発明の第２の観点に係る光源装置では、複数の光源からの光は、各群毎に、入射方向制御部により入射方向が互いに異なる複数種類の光となるように制御され、導光体本体内を伝搬され、これらの光はそれぞれに対応する調整部により、対応する部分領域を介して出射される。これにより、複数の光源の発光量を各群毎に制御すれば、各部分領域についての輝度を任意に変更することができる。従って、単一の導光体を用いて複数の部分領域のそれぞれについて輝度を任意に変更することができるので、従来技術のように、各部分領域毎に導光板をそれぞれ備えるものと比較して、その枚数を大幅に削減することができ、光源を導光体の端部に配置することもできるため、光学的性能の低下を招くことなく、製造工数やコストを低減することができる。【００１７】
本発明の第３の観点に係る液晶表示装置は、本発明の第１または第２の観点に係る光源装置を備えているので、品質の高い表示が可能であるとともに、安価な液晶表示装置を提供することができる。
【図面の簡単な説明】
【００１８】
【図１】図１は、本発明の第１実施形態の光源装置の断面図である。
【図２】図２は、本発明の第１実施形態の光源装置の要部を示す断面図である。
【図３】図３は、本発明の第１実施形態の光源装置の平面図である。
【図４】図４は、本発明の第１実施形態の光源の集光度を説明するための図である。
【図５】図５は、本発明の第１実施形態の光源装置を用いた照明装置の一例を示す平面図である。
【図６】図６は、本発明の第１実施形態の光源装置の一部を改良した光源装置を用いた照明装置の一例を示す平面図である。
【図７】図７は、本発明の第１実施形態の光源装置の一部を改良した光源装置の平面図である。
【図８】図８は、本発明の第１実施形態の図７の光源装置を応用した照明装置の平面図である。
【図９】図９は、本発明の第２実施形態の光源装置の要部を示す断面図である。
【図１０】図１０は、本発明の第３実施形態の光源装置の要部を示す断面図である。
【図１１】図１１は、本発明の第４実施形態の光源装置の要部を示す断面図である。
【図１２】図１２は、本発明の第５実施形態の光源装置の要部を示す断面図である。
【図１３】図１３は、本発明の第６実施形態の光源装置の要部を示す断面図である。
【図１４】図１４は、本発明の第１実施形態の光源２ｂを点灯させた場合の光束発散度分布を示すグラフである。
【図１５】図１５は、本発明の第７実施形態の光源装置の要部を示す断面図である。
【図１６】図１６は、本発明の第８実施形態の光源装置の要部を示す断面図である。
【図１７】図１７は、本発明の第９実施形態の光源装置の要部を示す断面図である。
【図１８】図１８は、本発明の第１０実施形態の光源装置の要部を示す断面図である。
【図１９】図１９は、本発明の第１１実施形態の光源装置の要部を示す断面図である。
【図２０】図２０は、本発明の第５実施形態のさらなる変形例に係る光源装置の要部を示す断面図である。
【図２１】図２１は、本発明の第５実施形態のさらなる変形例に係る光源装置の要部を示す断面図である。
【発明を実施するための形態】
【００１９】
以下、本発明の実施形態に係る光源装置について、図面を参照して説明する。なお、以下では、後述する平面視矩形状の導光板の厚さ方向をＺ方向、Ｚ方向に直交する面内において、該矩形状の導光板の１辺に沿う方向をＸ方向（第１方向）、該Ｘ方向に直交する方向をＹ方向（第２方向）としたＸＹＺ正規直交座標系を用いて説明する。
【００２０】
この光源装置は、液晶表示装置の液晶パネルを被照明体として照明するバックライトに用いて特に好適なものである。但し、被照明体としては、そのような液晶パネルに限られず、店頭等に配置される看板の照明として、ショーウィンドウ等の照明として、その他のあらゆる照明として、用いることもできる。以下では、液晶表示装置のバックライトとして用いられる場合を例に説明する。
【００２１】
（第１実施形態）
図１は本発明の第１実施形態に係る光源装置の全体構成を示す断面図、図２は同じく要部を拡大した断面図、図３は同じく平面図である。
【００２２】
この光源装置１は、２列に配列された３個の光源２ａ，２ｂ，２ｃ（合計６個の光源）と、これらの光源２ａ，２ｂ，２ｃからの光を導く導光体としての導光板３とを備えている。光源２ａ，２ｂ，２ｃとしては、この実施形態では、ＬＥＤ（Ｌｉｇｈｔ  Ｅｍｉｔｔｉｎｇ  Ｄｉｏｄｅ）を用いている。ＬＥＤとしては、青黄色系擬似白色発光ダイオードや３色（ＲＧＢ）方式の白色発光ダイオード等が用いられる。但し、光源２ａ，２ｂ，２ｃとしては、このようなＬＥＤに限られず、少なくとも点灯／消灯、発光量の制御が所望の応答性をもって行えるものであればどのようなものでもよい。
【００２３】
光源２ａ，２ｂ，２ｃとしては、小型で、集光度が高いものを用いることが好ましい。なお、本実施形態における集光度とは、光源からの光の出射角度（照射角度）と同義である。光源２ａ，２ｂ，２ｃの集光度は半値で６０°以下であることが好ましく、３０°以下がより好ましく、２０°以下がさらに好ましい。ここで、半値とは半値全幅のことを示す。本実施形態では、光源として、砲弾型ＬＥＤを用い、その集光度は半値で１５°のものを用いている。
【００２４】
導光板３は、光源２ａ，２ｂ，２ｃからの光が入射する入射部としての入射端部４と、この入射端部４から入射した光を内部に導いて出射させる導光体本体としての導光板本体５とを備えている。導光板本体５は、当該導光板本体５内を伝搬する光を反射する反射面６と、この反射面６に対向し、反射面６で反射した光を出射する出射面７とを備えている。また、図３に示すように、導光板本体５は、前記入射端部４、前記出射面７および前記反射面６に垂直な面である端面Ａ，Ｂを有し、これらは反射面となっている。
【００２５】
導光板３は、ガラスまたは透明樹脂により構成されている。該透明樹脂としては、特に限定されないが、プロピレン−エチレン共重合体、ポリスチレン、芳香族ビニル系単量体と低級アルキル基を有する（メタ）アクリル酸アルキルエステルとの共重合体、ポリエチレンテレフタレート、テレフタル酸−エチレングリコール−シクロヘキサンジメタノール共重合体、ポリカーボネート、アクリル樹脂、脂環式構造を有する樹脂（例えば、ノルボルネン系の樹脂）などを挙げることができる。ここで、透明樹脂としては、吸湿性が低く寸法変化が少ないポリスチレンや脂環式構造を有する樹脂などの吸水率が０．２５％以下の樹脂を使用することが好ましい。吸水率が上記範囲である樹脂を用いた場合には、導光体の寸法変化が小さくなることにより、光源と導光体との位置関係の変化が小さくなることから、光学特性の著しい低下を抑えることができるからである。
【００２６】
脂環式構造を有する樹脂は、主鎖および／または側鎖に脂環式構造を有する樹脂である。機械的強度、耐熱性などの観点から、主鎖に脂環式構造を含有する樹脂が特に好ましい。脂環式構造としては、飽和環状炭化水素（シクロアルカン）構造、および不飽和環状炭化水素（シクロアルケン、シクロアルキン）構造などを挙げることができる。機械的強度、耐熱性などの観点から、シクロアルカン構造およびシクロアルケン構造が好ましく、中でもシクロアルカン構造が最も好ましい。脂環式構造を構成する炭素原子数は、通常４〜３０個、好ましくは５〜２０個、より好ましくは５〜１５個の範囲であるときに、機械的強度、耐熱性及び導光板の成形性の特性が高度にバランスされ、好適である。
【００２７】
導光板３は矩形状の板状体からなり、この実施形態では、一例として、Ｘ方向の寸法が１５０ｍｍ、Ｙ方向の寸法が５０ｍｍに設定された長方形とし、Ｚ方向の寸法（厚さ）は４．５ｍｍとしている。この実施形態の導光板３の屈折率は１．５３３程度、臨界角は４０．７°である。
【００２８】
入射端部４には、各光源２ａ，２ｂ，２ｃから導光板３内に入射する光のＺ方向に対する入射方向を互いに異なる複数種類の光となるように制御する入射方向制御部として、入射角度調整面８ａ，８ｂ，８ｃが設けられている。入射方向制御部は、光源２ａ，２ｂ，２ｃからの各光のそれぞれが互いに異なる部分領域（詳細後述）から出射されるように制御する出射位置制御構造の一部である。入射角度調整面８ａ，８ｂ，８ｃは、Ｘ−Ｙ平面に対して、傾斜角度が互いに異なる傾斜面となっている。この実施形態では、Ｘ−Ｙ平面に対して、入射角度調整面８ａについてはθ１＝４５°、入射角度調整面８ｂについてはθ２＝６０°、入射角度調整面８ｃについてはθ３＝７５°に設定されている。
【００２９】
これらの入射角度調整面８ａ，８ｂ，８ｃにそれぞれ対応して、光源２ａ，２ｂ，２ｃが不図示の支持部としての支持基板によって所定の姿勢で支持されている。この実施形態では、入射角度調整面８ａはその法線方向が光源２ａの主光線の方向と略一致し、入射角度調整面８ｂはその法線方向が光源２ｂの主光線の方向と略一致し、入射角度調整面８ｃはその法線方向が光源２ｃの主光線の方向と略一致するように設定されている。但し、入射角度調整面８ａ，８ｂ，８ｃは、それぞれの法線方向が対応する光源２ａ，２ｂ，２ｃの主光線の方向と必ずしも一致していなくてもよく、斜交していてもよい。斜交させる場合には、導光板３を構成する樹脂の屈折率との関係において、各光源２ａ，２ｂ，２ｃから出射した光の６割以上が導光板３内に入射するような適宜な角度範囲内で設定することが好ましい。また、例えば光源からの光をレンズ、ミラー等の部材を用いて方向を変換して導光体に入光するようにしてもよく、いずれにしても、各光源２ａ，２ｂ，２ｃから出射した光の６割以上が導光板３内に入射することが好ましい。また、各光源２ａ，２ｂ，２ｃから出射した光の８割以上が導光板３内に入射することがより好ましく、９割以上が入射することがより好ましい。
【００３０】
導光板３の出射面７は、複数種類の光に対応する複数の部分領域７ａ，７ｂ，７ｃを備え、各部分領域７ａ，７ｂ，７ｃは、対応する光を主として出射させる領域である。これらの部分領域７ａ，７ｂ，７ｃは、ローカルディミングを行う際の輝度を調整する単位としての領域である。部分領域７ａ，７ｂ，７ｃは、Ｘ方向に沿って、入射端部４に近い側から遠い側に向かって順次に配置されている。
【００３１】
なお、図１では、部分領域７ａのＸ方向の寸法が、部分領域７ｂおよび７ｃに対して大きく表示されているが、これは図示の関係によるもので、実際にはこれらは実質的に同一の寸法となっている。この実施形態では、各部分領域７ａ，７ｂ，７ｃのＸ方向の寸法は、５０ｍｍに設定されている。
【００３２】
導光板３の反射面６には、各部分領域７ａ，７ｂ，７ｃに対して、対応する光を導くための調整部６ａ，６ｂ，６ｃが設けられている。調整部６ａ，６ｂ，６ｃは、入射方向制御部と協働して、光源２ａ，２ｂ，２ｃからの各光のそれぞれが互いに異なる部分領域７ａ，７ｂ，７ｃから出射するように制御する出射位置制御構造の一部である。調整部６ａ，６ｂ，６ｃは、Ｘ方向に沿って、入射端部４に近い側から遠い側に向かって、且つ部分領域７ａ，７ｂ，７ｃにそれぞれ対向して順次に配置されている。
【００３３】
各調整部６ａ，６ｂ，６ｃは、Ｘ−Ｙ平面に対する傾斜角度が互いに異なるように設定された複数の傾斜面６ａ１，６ｂ１，６ｃ１を有する条列（複数の直角３角形プリズムを配列してなる条列）として形成されている。各傾斜面６ａ１，６ｂ１，６ｃ１の長手方向はＹ方向に沿っており、各傾斜面６ａ１，６ｂ１，６ｃ１はＸ方向に所定のピッチで配列されている。
【００３４】
調整部６ａ，６ｂ，６ｃの傾斜面６ａ１，６ｂ１，６ｃ１の傾斜角度は、Ｘ−Ｙ平面に対して、入射端部４に近い側から遠い側に向かって順次に大きくなるように設定されている。ここで、角度が「順次に大きくなる」とは、１本以上の傾斜面を単位として、ある単位における角度が隣接する単位における角度より大きくなる関係が、ある向き（上の例では入射端部４に近い側から遠い側への向き）に沿って連続していることをいう。当該単位に含まれる傾斜面は１本のみでもよく２本以上でもよい。複数の単位のそれぞれが有する傾斜面の本数は、互いに同じであってもよく異なっていてもよい（例えば、隣接する３つの単位のそれぞれにおいて含まれる傾斜面が５本−１０本−８本というように）。
【００３５】
この実施形態では、１つの調整部内に含まれる傾斜面の傾斜角度は互いに同一として、調整部単位で傾斜面の傾斜角度を順次に大きくなるように設定している。具体的には、傾斜面の配列ピッチは全ての調整部６ａ，６ｂ，６ｃについて２ｍｍに設定し、調整部６ａの傾斜面６ａ１の傾斜角度を１．５°、調整部６ｂの傾斜面６ｂ１の傾斜角度を２．５°、調整部６ｃの傾斜面６ｃ１の傾斜角度を４．５°に設定している。
【００３６】
なお、本実施形態では、各調整部は、同一の傾斜角度を有する傾斜面を複数含む構成としたが、本発明は、この態様には限定されず、傾斜角度の異なる複数の傾斜面を含む構成としてもよい。要するに、各調整部は、対応する光源からの光を、対応する各部分領域に導くことができればよいということである。ここで、複数種類の傾斜面を含む構成を採用した場合には、たとえば、光源から離れるにつれて連続的または段階的に、その傾斜角度が大きくまたは小さくなるように構成することができる。
【００３７】
また、本実施形態では、上述した通り、３つの調整部を備え、これらの調整部は、傾斜角度が１．５°の傾斜面を有する調整部と、傾斜角度が２．５°の傾斜面を有する調整部と、傾斜角度が４．５°の傾斜面を有する調整部とを備えて構成している。このように、本実施形態では、調整部間を比較した場合、各調整部を構成する傾斜面の傾斜角度は、光源から離れるにつれて、その傾斜角度が順次大きくなる構成となっている。しかしながら、本発明は、この態様には限定されず、例えば、調整部間を比較した場合に、各調整部を構成する傾斜面の傾斜角度が順次小さくなるように構成してもよいし、すべて同一の傾斜角度となるように構成してもよい。要するに、各調整部は、対応する光源からの光を、対応する各部分領域に正しく導くことができればよいということである。
【００３８】
各調整部６ａ，６ｂ，６ｃは、反射面６として設けられているため、該調整部を構成する傾斜面６ａ１，６ｂ１，６ｃ１を含む面は反射面となっている。なお、反射面は導光板３を構成する樹脂板の裏面に反射金属を蒸着すること等により形成することができる。また、本発明に係る光源装置としては、導光板３の背面側、すなわち、各調整部６ａ，６ｂ，６ｃの背面側に、白色散乱板（白色反射板）を導光板とは別に設ける構成とすることもできる。
【００３９】
調整部６ａ，６ｂ，６ｃの傾斜面の傾斜角度は、導光板３の厚さ（即ち、反射面６と出射面７との間の寸法）と、各光源２ａ，２ｂ，２ｃの主光線の方向および集光度と、入射角度調整面８ａ，８ｂ，８ｃの傾斜角度との関係において、光源２ａからの光が部分領域７ａから、光源２ｂからの光が部分領域７ｂから、光源２ｃからの光が部分領域７ｃから、それぞれ主として出射されるように設定されている。
【００４０】
光源２ａ、入射角度調整面８ａ、調整部６ａおよび部分領域７ａは互いに対応関係にあり、光源２ｂ、入射角度調整面８ｂ、調整部６ｂおよび部分領域７ｂは互いに対応関係にあり、光源２ｃ、入射角度調整面８ｃ、調整部６ｃおよび部分領域７ｃは互いに対応関係にある。
【００４１】
より具体的に説明すると、調整部６ａは、これに対応する光源２ａからの光は対応する部分領域７ａから出射されるように、即ち、導光板３の屈折率との関係で定まる臨界角以下の角度で出射面７に向かい反射する。調整部６ａは、これに対応しない光源２ｂ，２ｃからの光は対応する部分領域７ａからは出射されないように、即ち、臨界角以上の角度で出射面７に向かい反射する。同様に、調整部６ｂは、これに対応する光源２ｂからの光は対応する部分領域７ｂから出射されるように反射し、これに対応しない光源２ｃからの光は対応する部分領域７ｂからは出射されないように反射し、調整部６ｃは、これに対応する光源２ｃからの光が対応する部分領域７ｃから出射されるように反射する。
【００４２】
なお、調整部６ｃは、それよりも奥（＋Ｘ方向側。すなわち、座標のＸ軸方向であって、且つ矢印により示される向き。）に光を伝搬させる必要はないので、調整部６ｃにおける光の反射は、それより奥への光の伝搬を可能とする反射でなくてもよい。したがって、調整部６ｃにおける反射は、入射角と反射角が等しい非拡散的な反射でなくてもよい。したがって、調整部６ｃは、例えば、調整部６ｃに到達する全ての光が部分領域７ｃから出射されるように、複数の突起（半球、円錐等）を配置した光拡散面であってもよい。
【００４３】
光源２ａからの入射角度調整面８ａを介して入射された光Ｌ１は、出射面７により反射され、調整部６ａにより反射されて、部分領域７ａから主として出射する。光源２ｂからの入射角度調整面８ｂを介して入射した光Ｌ２は、出射面７により反射され、調整部６ｂにより反射されて、部分領域７ｂから主として出射する。光源２ｃからの入射角度調整面８ｃを介して入射した光Ｌ３は、出射面７により反射され、調整部６ｃにより反射されて、部分領域７ｃから主として出射する。ここで、各光源２ａ，２ｂ，２ｃからの光の全てが対応する部分領域７ａ，７ｂ，７ｃから出射されることが理想ではあるが、現実には各光の一部は対応しない部分領域から出射し得る。「主として出射」するとは、そのような対応しない部分領域から出射される光も存在しうることを意図する。
【００４４】
なお、図１では、光源２ａ，２ｂ，２ｃからの光は出射面７で反射されて調整部６ａ，６ｂ，６ｃによりさらに反射されて部分領域７ａ，７ｂ，７ｃから出射するように単純に図示をしているが、実際には、光源からの光２ａ，２ｂ，２ｃは導光板３内で（出射面７と反射面６との間で）複数回反射・伝搬されて、調整部６ａ，６ｂ，６ｃで反射する毎に進行方向の変更を受けて、対応する部分領域７ａ，７ｂ，７ｃから出射する。
【００４５】
導光板３の出射面７側には、空気層を挟んで光拡散板（光拡散シート）９が配置されている。光拡散板９は、導光板３の各部分領域７ａ，７ｂ，７ｃから出射する光を拡散するためのものである。光拡散板９としては、透明樹脂や、透明樹脂に光拡散剤その他の添加剤を添加した樹脂組成物により構成された板状体であり、表面が平滑な平板状のものや、板状体の一方または両方の面に複数の突起や条列等のパターンを形成したもの等を用いることができる。
【００４６】
上述した本実施形態に係る光源装置１によれば、光源２ａに電流を供給して点灯させると部分領域７ａが明るくなり、光源２ｂに電流を供給して点灯させると部分領域７ｂが明るくなり、光源２ｃに電流を供給して点灯させると部分領域７ｃが明るくなる。光源２ａ，２ｂ，２ｃに供給する電流をそれぞれ調整することによって、それぞれに対応する部分領域７ａ，７ｂ，７ｃの輝度を任意に変更制御することができる。このように、１個の導光板３について、全領域を３つに分割した各部分領域７ａ，７ｂ，７ｃの輝度を独立して任意に変更制御することができる。図１４は、光源２ｂを点灯させた場合において、出射面における光束発散度の分布を示すグラフである。図１４に示すように、光源２ｂを点灯させた場合には、部分領域７ｂが選択的に明るくなることが理解できる。
【００４７】
なお、上述した第１実施形態では、光源は各入射角度調整面８ａ，８ｂ，８ｃについて、それぞれ２列に配置したが、それぞれ１列でも、それぞれ３列以上でもよい。これは、導光板３のＹ方向の寸法と、光源の最大発光量や集光度等との関係において適宜な数を選定すればよい。また、上述した第１実施形態では、互いに対応関係にある、光源２ａ、入射角度調整面８ａ、調整部６ａおよび部分領域７ａの系統と、光源２ｂ、入射角度調整面８ｂ、調整部６ｂおよび部分領域７ｂの系統と、光源２ｃ、入射角度調整面８ｃ、調整部６ｃおよび部分領域７ｃの系統との３つの系統を設けたが、２系統でも、４系統以上でもよい。４系統以上設ければ、１枚の導光板３を用いて４つ以上の部分領域について輝度制御が可能となる。
【００４８】
また、各入射角度調整面８ａ，８ｂ，８ｃは、導光板３の光源の近傍部分がその余の部分に対して輝度が高くなる、即ち輝度ムラを生じることがあるため、複数のレンチキュラーレンズ（凹状または凸状）を配列してなるレンチキュラー面とすることができる。レンチキュラー面は、各入射角度調整面８ａ，８ｂ，８ｃと平行に延びる線状のレンチキュラーレンズを複数備え、これらのレンチキュラーレンズは、例えば図１のＹ軸方向に沿って配列できる。
【００４９】
さらに、各光源２ａ，２ｂ，２ｃとして、入射端部４に近い部分領域７ａに対応する光源２ａよりも中間の部分領域７ｂに対応する光源２ｂの集光度を小さくし、さらに中間の部分領域７ｂに対応する光源２ｂの集光度よりも最も遠い部分領域７ｃに対応する光源２ｃの集光度を小さくすることが好ましい。各光の光路長の相違による拡散に基づく照度低下を抑制し、各部分領域７ａ，７ｂ，７ｃで照度を均一にするためである。
【００５０】
各光源２ａ，２ｂ，２ｃの集光度は、集光度の異なる光源を用いて調整してもよいし、同一の仕様（同一の集光度）のものを用いてリフレクタやレンズ等を別途設けて調整するようにしてもよい。各入射角度調整面８ａ，８ｂ，８ｃについて、互いに異なるレンチキュラー面として、それぞれの集光度を制御するようにしてもよい。各光源の集光度は、図４（ａ）〜（ｃ）に示すように、主光線の方向をｘ方向とし、ｘ方向に直交する面内において、前記Ｙ方向に沿う方向をｙ方向とし、該ｙ方向に直交する方向をｚ方向として、ｚ方向の集光度は各光源間で同じとし、ｙ方向の集光度を順次小さくすればよい。
【００５１】
上述したように構成した光源装置１を、１つのユニットとして、複数のユニットを適宜に配列することにより、被照明体としての液晶パネルの全領域を照明する照明装置を構成することができる。
【００５２】
図５は、上述した光源装置を複数個配列して、液晶パネルの全体を照明する照明装置を構成した一例を示す平面図である。この照明装置１０は、２つの光源装置１を光源２側を外側に、光源２と反対側を内側にして、Ｙ方向に関して対称となるようにＸ方向に隣接させ、これらの２つの光源装置１をさらに複数（同図では３つ）をＹ方向に隣接配置して構成されている。１つの光源装置１について３つの部分領域（７ａ，７ｂ，７ｃ）の輝度調整が可能であるので、合計で１８個の部分領域を有する照明装置を６枚の導光板で実現することができ、従来技術ではこの場合には１８枚の導光板が必要であったので、導光板の枚数を大幅に削減することができることがわかる。
【００５３】
また、光源２（２ａ，２ｂ，２ｃ）は導光板の外側に配置されており、従来技術のように、照明の有効領域内に光源を配置しなくてもよいので、光源自身やその配線等による照明ムラや光洩れの発生等を抑制できるとともに、これらを防止するための特別な工夫も必要がなくなる。導光板の枚数が少ないので、製造工数やコストも低減することができる。なお、導光板の側面に光源を配置したサイドライト型であるため、拡散板とその直下に光源を配置した直下型の照明装置等と比較して、照明装置全体としての厚さも大幅に薄くでき、液晶表示装置に適用した場合に装置を小型・薄型化することができる。
【００５４】
なお、図５の構成において、Ｙ方向に隣接して配置する一対の光源装置１の数は、３つに限定されず、２つでも、４つ以上でもよい。
【００５５】
図６は、上述した光源装置の一部を改良して、これを複数個配列して、液晶パネルの全体を照明する照明装置を構成した一例を示す平面図である。図５の照明装置１０では、上述した光源装置１を２つ準備し、これらをＹ方向に関して互いに対称となるようにＸ方向に隣接配置したものを用いたが、この図６の照明装置１１は、これらの２つの光源装置１の導光板を一体的に形成し、２つの光源装置で１つのユニットを構成した点が相違している。一対の導光板間の境目がない点を除いて、図５の構成と実質的に同じである。
【００５６】
このような構成とすることにより、１つのユニットで６つの部分領域の輝度調整が可能となり、導光板の数をさらに削減することが可能となる。なお、図６の構成においても、Ｙ方向に隣接して配置する一対の光源装置１を一体化して構成される光源装置の数は、３つに限定されず、２つでも、４つ以上でもよい。
【００５７】
図７は、上述した光源装置を改良した構成の一例を示す平面図である。図１〜図３に示した光源装置１は、Ｙ方向に配置された一対の光源２（２ａと２ａ，２ｂと２ｂ，２ｃと２ｃ）によって、３つの部分領域のうちの対応する１つの部分領域に対して光を供給するようにしており、各光源２はそれぞれ対応する部分領域の全体に光を供給するように、その集光度が設定されている。これに対し、図７の光源装置１２では、図１〜図３に示した部分領域７ａ，７ｂ，７ｃをそれぞれＹ方向に２分割して、合計６つの部分領域１３ａ，１３ｂ，１３ｃ，１４ａ，１４ｂ，１４ｃとし、一方の光源２−１の集光度（図４におけるｙ方向の集光度）を対応する部分領域１３ａ，１３ｂ，１３ｃに光を供給するように設定し、他方の光源２−２の集光度（図４におけるｙ方向の集光度）を対応する部分領域１４ａ，１４ｂ，１４ｃに光を供給するように設定している。
【００５８】
このように構成することにより、１つの光源装置１２によって、６つの部分領域１３ａ，１３ｂ，１３ｃ，１４ａ，１４ｂ，１４ｃの輝度制御が可能となり、図１〜図３に示した光源装置１よりも輝度調整可能な領域の数を増大することができる。このような光源装置１２を複数用いて、図５または図６に示したものと同様に構成することにより、輝度調整可能な領域の数を２倍にすることができ、よりきめ細かい輝度制御が可能となる。
【００５９】
なお、図７では、光源２ａ，２ｂ，２ｃからなる光源列２−１と、光源２ａ，２ｂ，２ｃからなる光源列２−２の２列のものを示したが、３列以上としてもよく、そのようにすれば、輝度調整可能な領域の数をさらに増やすことができる。
【００６０】
この原理を応用すると、図８に示すように、単一の導光板を用い、光源２−１〜２−ｎ（ｎは３以上の自然数）を設けることにより、照明すべき全領域を任意に分割した部分領域のそれぞれの輝度調整が可能な照明装置１４を実現することができる。
【００６１】
（第２実施形態）
次に、本発明の第２実施形態について、図９を参照して説明する。なお、図１〜図３に示したものと実質的に同一の構成部分については同一の番号を付して、その説明の一部を省略する。
【００６２】
この第２実施形態は、上述した第１実施形態の入射端部４の構成を変更するとともに、導光板本体５の厚さを部分的に変えた点、具体的には、光源から離れるにつれて段階的に薄くした点が、上述した第１実施形態と相違する。つまり、反射面は、入射端部より遠くなるほど、出射面との距離が段階的に小さくなるように形成されている。
【００６３】
即ち、この第２実施形態の光源装置２１が備える導光板２２は、光源２ａ，２ｂ，２ｃからの光が入射する入射端部２３と、この入射端部２３から入射した光を内部に導いて出射させる導光板本体２４とを備えている。導光板本体２４は、上述した第１実施形態の導光板本体５と同様に、当該導光板本体２４内を伝搬する光を反射する反射面６と、この反射面６に対向し、反射面６で反射した光を出射する出射面７とを備えている。
【００６４】
入射端部２３には、各光源２ａ，２ｂ，２ｃから導光板２２内に入射する光の入射方向を互いに異なる複数種類の光となるように制御する入射方向制御部として、入射角度調整面２３ａ，２３ｂ，２３ｃが設けられている。入射角度調整面２３ａ，２３ｂ，２３ｃは、Ｘ−Ｙ平面に対して、傾斜角度が互いに異なる傾斜面となっている。この実施形態では、Ｘ−Ｙ平面に対して、入射角度調整面２３ａについてはθ１１＝４５°、入射角度調整面２３ｂについてはθ１２＝６０°、入射角度調整面２３ｃについてはθ１３＝７５°に設定されている。
【００６５】
これらの入射角度調整面２３ａ，２３ｂ，２３ｃにそれぞれ対応して、光源２ａ，２ｂ，２ｃがそれぞれ所定の姿勢で配置されている。導光板本体２４の反射面６には、上述した第１実施形態と同様に調整部６ａ，６ｂ，６ｃが設けられている。なお、この実施形態では、同図に示されるように、導光板２２の光源側の端部の厚さｄ１は４．５ｍｍ、該端部のＸ方向の寸法ｄ２は２．５ｍｍ、導光板２２の薄い部分の厚さｄ３は２ｍｍとした。その他の構成は、上述した第１実施形態と同様である。また、上述したように構成した光源装置２１を、１つのユニットとして、複数のユニットを適宜に配列することにより、図５〜図８に示したものと同様に、被照明体としての液晶パネルの全領域を照明する照明装置を構成することができる。
【００６６】
（第３実施形態）
次に、本発明の第３実施形態について、図１０を参照して説明する。なお、図１〜図３に示したものと実質的に同一の構成部分については同一の番号を付して、その説明の一部を省略する。
【００６７】
この第３実施形態は、上述した第１実施形態の入射端部４の構成を変更するとともに、光源を＋Ｚ方向を指向して設けた点が、上述した第１実施形態と相違する。
【００６８】
即ち、この第３実施形態の光源装置３１が備える導光板３２は、光源２ａ，２ｂ，２ｃからの光が入射する入射端部３３と、この入射端部３３を介して入射される光を内部に導いて出射させる導光板本体３４とを備えている。導光板本体３４は、上述した第１実施形態の導光板本体５と同様に、当該導光板本体３４内を伝搬する光を反射する反射面６と、この反射面６に対向し、反射面６で反射した光を出射する出射面７とを備えている。
【００６９】
入射端部３３は、導光板本体３４の側部に配置されており、これらは一体的に形成されている。入射端部３３には、各光源２ａ，２ｂ，２ｃから該入射端部３３を介して導光板３２内に入射する光の入射方向を互いに異なる複数種類の光となるように制御する入射方向制御部として、入射角度調整面３５ａ，３５ｂ，３５ｃが設けられている。入射角度調整面３５ａ，３５ｂ，３５ｃは、Ｘ−Ｙ平面に対して、傾斜角度が互いに異なる傾斜面となっている。
【００７０】
光源２ａ，２ｂ，２ｃは、これらの入射角度調整面３５ａ，３５ｂ，３５ｃにそれぞれ対応して、入射端部３３の−Ｚ方向側に、＋Ｚ方向を指向してＸ方向に配列して設けられている。光源２ａからの光は入射角度調整面３５ａで反射されて導光板本体３４に所定の角度で入射され、光源２ｂからの光は入射角度調整面３５ｂで反射されて導光板本体３４に所定の角度で入射され、光源２ｃからの光は入射角度調整面３５ｃで反射されて導光板本体３４に所定の角度で入射される。
【００７１】
その他の構成は、上述した第１実施形態と同様である。また、上述したように構成した光源装置３１を、１つのユニットとして、複数のユニットを適宜に配列することにより、図５〜図８に示したものと同様に、被照明体としての液晶パネルの全領域を照明する照明装置を構成することができる。
【００７２】
（第４実施形態）
次に、本発明の第４実施形態について、図１１を参照して説明する。なお、図１〜図３に示したものと実質的に同一の構成部分については同一の番号を付して、その説明の一部を省略する。
【００７３】
この第４実施形態は、上述した第１実施形態の反射面６に設けられた調整部６ａ，６ｂ，６ｃを、反射面６にではなく出射面７に設けた点が相違する。その他は上述した第１実施形態と同様である。
【００７４】
即ち、この第４実施形態の光源装置４１が備える導光板４２は、光源（図１１では不図示）からの光が入射する入射端部４３と、この入射端部４３を介して入射される光を内部に導いて出射させる導光板本体４４とを備えている。導光板本体４４は、上述した第１実施形態の導光板本体５と同様に、当該導光板本体４４内を伝搬する光を反射する反射面６と、この反射面６に対向し、反射面６で反射した光を出射する出射面７とを備えている。但し、上述した第１実施形態では、反射面６に調整部６ａ，６ｂ，６ｃを設けていたが、この第４実施形態では、調整部６ａ，６ｂ，６ｃと同様な調整部４５ａ，４５ｂ，４５ｃを出射面７に設けている。
【００７５】
入射端部４３の構成は、上述した第１実施形態の入射端部４と同様である。入射端部としては、上述した第２〜第３実施形態の入射端部２３，３３と同様に構成してもよい。
【００７６】
（第５実施形態）
次に、本発明の第５実施形態について、図１２を参照して説明する。なお、図１〜図３に示したものと実質的に同一の構成部分については同一の番号を付して、その説明の一部を省略する。
【００７７】
この第５実施形態は、上述した第１実施形態の反射面６を傾斜させることにより、調整部を構成した点が上述した第１実施形態と相違する。
【００７８】
即ち、この第５実施形態の光源装置５１が備える導光板５２は、光源（図１２では不図示）からの光が入射する入射端部５３と、この入射端部５３を介して入射される光を内部に導いて出射させる導光板本体５４とを備えている。導光板本体５４は、上述した第１実施形態の導光板本体５と同様に、当該導光板本体５４内を伝搬する光を反射する反射面６と、この反射面６に対向し、反射面６で反射した光を出射する出射面７とを備えている。
【００７９】
但し、上述した第１実施形態では、反射面６は出射面７に対して略平行に配置していたが、この第５実施形態では、反射面６は、出射面７に対する寸法が入射端部５３より遠くなるほど次第に（連続的に）小さくなるように傾斜して設けられている。このように反射面６を傾斜させることによって、調整部６ａ，６ｂ，６ｃと同様な機能を発現することができる。ここで反射面の傾斜は一定でなくとも入射端部５３より遠くなるにつれ次第に（連続的に）小さくなるようになっていればよい。例えば、図１２に示す通り、反射面６の傾斜角度はその全面にわたり一様であってもよく、図２０及び図２１に示す通り、反射面の傾斜角は、一様でなくてもよい。より具体的には、図２０に示す通り光源に近い反射面の傾斜角度が小さく、光源から遠い反射面の傾斜角度が大きくてもよく、図２１に示す通り光源に近い反射面の傾斜角度が大きく光源に近い反射面の傾斜角度が小さくてもよい。図２０及び図２１に示す異なる傾斜角度の反射面（図２０では６ａ２〜６ｃ２、図２１では６ａ３〜６ｃ３）のそれぞれは、図１及びその他の図において示す部分領域７ａ〜７ｃのそれぞれに対応していてもよい。また、この傾斜された反射面６に、調整部６ａ，６ｂ，６ｃと同様の傾斜面（条列）を設けるようにしてもよい。この場合には、各調整部の傾斜面の傾斜角度は、反射面６の傾斜角度に応じて適宜に変更する必要がある。また、図１２では、反射面６は連続的な傾斜面としているが、傾斜角は同じで段階的な（階段状に配置された）傾斜面としてもよい。
【００８０】
（第６実施形態）
次に、本発明の第６実施形態について、図１３を参照して説明する。なお、図１〜図３に示したものと実質的に同一の構成部分については同一の番号を付して、その説明の一部を省略する。
【００８１】
この第６実施形態は、上述した第１実施形態の光源２（２ａ，２ｂ，２ｃ）の姿勢を任意に調整できるよう、光源２が可動的に支持される点が上述した第１実施形態と相違する。
【００８２】
即ち、この第６実施形態の光源装置６１が備える光源２は、図中符号ｅで示されるように、入射方向制御部としての支持部材（不図示）により回転可能に軸支されており、不図示の駆動機構によって、所定の角度範囲で連続的に（任意の角度で）または段階的に（所定のステップ角で）回転駆動できるようになっている。光源２を回転駆動することによって、該光源２から出射された光の導光板３に対する入射角を変更することができる。
【００８３】
光源２の姿勢をその主光線の方向を図中符号ｆ１の方向に設定すると、導光板３に入射された光は、調整部６ａによって部分領域７ａから出射され、光源２の姿勢をその主光線の方向を図中符号ｆ２の方向に設定すると、導光板３に入射された光は、調整部６ｂによって部分領域７ｂから出射され、光源２の姿勢をその主光線の方向を図中符号ｆ３の方向に設定すると、導光板３に入射された光は、調整部６ｃによって部分領域７ａから出射される。これにより、部分領域７ａ，７ｂ，７ｃから選択的に光を出射させることができる。その他は、上述した第１実施形態と同様である。
【００８４】
（第７実施形態）
次に、本発明の第７実施形態について、図１５を参照して説明する。なお、図１〜図３に示したものと実質的に同一の構成部分については同一の番号を付して、その説明の一部を省略する。
【００８５】
この第７実施形態は、上述した第１実施形態の入射端部４の構成を変更し、光源を＋Ｚ方向を指向して設けるとともに、反射面６を傾斜させることにより調整部を構成した点が、上述した第１実施形態と相違する。
【００８６】
即ち、この第７実施形態の光源装置７１が備える導光板７２は、光源２ａ，２ｂ，２ｃからの光が入射する入射端部７３と、この入射端部７３を介して入射される光を内部に導いて出射させる導光板本体７４とを備えている。導光板本体７４は、当該導光板本体７４内を伝搬する光を反射する反射面６と、この反射面６に対向し、反射面６で反射した光を出射する出射面７とを備えている。
【００８７】
入射端部７３は、導光板本体７４の側部に配置されており、これらは一体的に形成されている。入射端部７３には、各光源２ａ，２ｂ，２ｃからの各光を導光板本体７４に向けて反射する全反射面７５ａと、部分出射面７５ｂと、部分入射角度調整面７５ｃ，７５ｄが設けられている。これらの全反射面７５ａ、部分出射面７５ｂ、部分入射角度調整面７５ｃ、７５ｄは、光源２ａ，２ｂ，２ｃからの各光のそれぞれが互いに異なる部分領域７ａ、７ｂ、７ｃから出射されるように制御する、出射位置制御構造の一部（入射方向制御部）である。全反射面７５ａはＺ方向（各光源２ａ，２ｂ，２ｃからの光の出射方向）に対して略４５°の角度で設けられている。部分出射面７５ｂはＹ−Ｚ平面に対して略平行に設けられている。部分入射角度調整面７５ｃ，７５ｄは、Ｘ−Ｙ平面に対して、傾斜角度が互いに異なるように傾斜された傾斜面となっている。
【００８８】
光源２ａ，２ｂ，２ｃは、入射端部７３の−Ｚ方向側に、＋Ｚ方向を指向してＸ方向に配列して設けられている。光源２ａからの光は全反射面７５ａで反射され、部分出射面７５ｂから出射された後、部分入射角度調整面７５ｄを介して所定の第１角度で導光板本体７４内に導かれる。この第１角度は、導光板本体７４内に入射された光源２ａからの光が出射面７の部分領域７ａから主として出射されるように最適化された角度に設定されている。光源２ｂからの光は全反射面７５ａで反射され、部分出射面７５ｂから出射された後、部分入射角度調整面７５ｃを介して第１角度とは異なる所定の第２角度で導光板本体７４内に導かれる。この第２角度は、導光板本体７４内に入射された光源２ｂからの光が出射面７の部分領域７ｂから主として出射されるように最適化された角度に設定されている。光源２ｃからの光は、全反射面７５ａで反射されて導光板本体７４内に導かれ、出射面７の部分領域７ｃから主として出射される。
【００８９】
反射面６は、出射面７に対する寸法が入射端部７３より遠くなるほど次第に（連続的に）小さくなるように傾斜して設けられていること等は、上述した第５実施形態と同様であるので、その説明は省略する。
【００９０】
その他の構成は、上述した第１実施形態と同様である。また、上述したように構成した光源装置７１を、１つのユニットとして、複数のユニットを適宜に配列することにより、図５〜図８に示したものと同様に、被照明体としての液晶パネルの全領域を照明する照明装置を構成することができる。
【００９１】
（第８実施形態）
次に、本発明の第８実施形態について、図１６を参照して説明する。なお、図１〜図３に示したものと実質的に同一の構成部分については同一の番号を付して、その説明の一部を省略する。
【００９２】
この第８実施形態は、上述した第１実施形態の入射端部４の構成を変更し、光源を＋Ｚ方向を指向して設けるとともに、導光板本体５の構成を変更した点が、上述した第１実施形態と相違する。
【００９３】
即ち、この第８実施形態の光源装置８１が備える導光板８２は、光源２ａ，２ｂ，２ｃからの光が入射する入射端部８３と、この入射端部８３を介して入射される光を内部に導いて出射させる導光板本体８４とを備えている。導光板本体８４は、３つの導光部８４ａ，８４ｂ，８４ｃを備えている。各導光部８４ａ，８４ｂ，８４ｃは入射端部８３において（同図で左端において）一体的に接続されており、各導光部８４ａ，８４ｂ，８４ｃの主要部は上下に分離されている。各導光部８４ａ，８４ｂ，８４ｃは、出射面７の各部分領域７ａ，７ｂ，７ｃに対応して調整部（反射面）６ａ，６ｂ，６ｃを有しており、調整部６ａ，６ｂ，６ｃにはそれぞれ複数の傾斜面（条列）が設けられている。各傾斜面の傾斜角（Ｘ−Ｙ平面に対する傾斜角）はこの実施形態では略一致している。
【００９４】
入射端部８３は、各導光部８４ａ，８４ｂ，８４ｃの側部に配置されており、これらは一体的に形成されている。入射端部８３には、各光源２ａ，２ｂ，２ｃから該入射端部８３を介して導光板８２内に入射する光を各導光部８４ａ，８４ｂ，８４ｃに入射させるための全反射面８５ａが設けられている。全反射面８５ａはＺ方向（各光源２ａ，２ｂ，２ｃからの光の出射方向）に対して略４５°の角度で設けられている。
【００９５】
光源２ａ，２ｂ，２ｃは、入射端部８３の−Ｚ方向側に、＋Ｚ方向を指向してＸ方向に配列して設けられている。光源２ａからの光は、全反射面８５ａで反射されて導光部８４ａに導かれ、導光部８４ａ内を伝搬されつつ、調整部６ａで反射されて、導光部８４ｂの直線部（調整部６ｂが設けられていない部分）および導光部８４ｃの直線部（調整部６ｃが設けられていない部分）を透過して、部分領域７ａから出射される。
【００９６】
光源２ｂからの光は、全反射面８５ａで反射されて導光板本体８４の導光部８４ｂに導かれ、導光部８４ｂ内を伝搬されて、調整部６ｂで反射され、導光部８４ｃの直線部を透過して、部分領域７ｂから出射される。光源２ｃからの光は、全反射面８５ａで反射されて導光板本体８４の導光部８４ｃに導かれ、導光部８４ｃ内を伝搬されて、調整部６ｃで反射され、部分領域７ｃから出射される。
【００９７】
その他の構成は、上述した第１実施形態と同様である。また、上述したように構成した光源装置８１を、１つのユニットとして、複数のユニットを適宜に配列することにより、図５〜図８に示したものと同様に、被照明体としての液晶パネルの全領域を照明する照明装置を構成することができる。
【００９８】
（第９実施形態）
次に、本発明の第９実施形態について、図１７を参照して説明する。なお、図１〜図３に示したものと実質的に同一の構成部分については同一の番号を付して、その説明の一部を省略する。
【００９９】
この第９実施形態は、上述した第８実施形態の構成を変更し、各導光部８４ａ，８４ｂ，８４ｃおよび入射端部３３を、光源２ａ，２ｂ，２ｃ毎に互いに独立させた点が主として相違する。
【０１００】
即ち、この第９実施形態の光源装置９１が備える導光板９２は、上下に互いに分離・独立して構成された３つの導光部９４ａ，９４ｂ，９４ｃを備えている。各導光部９４ａ，９４ｂ，９４ｃは対応する光源２ａ，２ｂ，２ｃからの光が入射する入射端部及び導光部本体を備えている。
【０１０１】
各導光部９４ａ，９４ｂ，９４ｃの導光部本体は、出射面７の各部分領域７ａ，７ｂ，７ｃに対応して調整部（反射面）６ａ，６ｂ，６ｃを有しており、調整部６ａ，６ｂ，６ｃにはそれぞれ複数の傾斜面が設けられている。各傾斜面の傾斜角（Ｘ−Ｙ平面に対する傾斜角）はこの実施形態では略一致している。
【０１０２】
各導光部９４ａ，９４ｂ，９４ｃの入射端部は、それぞれ対応する導光部本体の側部に配置されている。各導光部９４ａ，９４ｂ，９４ｃのそれぞれの入射端部には、対応する光源２ａ，２ｂ，２ｃからの光を対応する導光部本体内に入射させるための全反射面９５ａ，９５ｂ，９５ｃが設けられている。全反射面９５ａ，９５ｂ，９５ｃはそれぞれＺ方向（各光源２ａ，２ｂ，２ｃからの光の出射方向）に対して略４５°の角度で設けられている。
【０１０３】
光源２ａ，２ｂ，２ｃは、対応する導光部９４ａ，９４ｂ，９４ｃの入射端部の−Ｚ方向側に、＋Ｚ方向を指向してＸ方向に配列して設けられている。光源２ａからの光は、導光部９４ａの入射端部の全反射面９５ａで反射されて導光部９４ａの導光部本体内に導かれ、該導光部本体内を伝搬されつつ、調整面６ａで反射されて部分領域７ａから出射される。光源２ｂからの光は、導光部９４ｂの入射端部の全反射面９５ｂで反射されて導光部９４ｂの導光部本体内に導かれ、該導光部本体内を伝搬されつつ、調整面６ｂで反射されて部分領域７ｂから出射される。光源２ｃからの光は、導光部９４ｃの入射端部の全反射面９５ｃで反射されて導光部９４ｃの導光部本体内に導かれ、該導光部本体内を伝搬されつつ、調整面６ｃで反射されて部分領域７ｃから出射される。
【０１０４】
その他の構成は、上述した第１実施形態と同様である。また、上述したように構成した光源装置９１を、１つのユニットとして、複数のユニットを適宜に配列することにより、図５〜図８に示したものと同様に、被照明体としての液晶パネルの全領域を照明する照明装置を構成することができる。
【０１０５】
（第１０実施形態）
次に、本発明の第１０実施形態について、図１８を参照して説明する。なお、図１〜図３に示したものと実質的に同一の構成部分については同一の番号を付して、その説明の一部を省略する。
【０１０６】
この第１０実施形態は、上述した第１実施形態の入射端部４の構成を変更し、光源を＋Ｚ方向を指向して設けるとともに、反射面６の各調整部６ａ，６ｂ，６ｃにおける各傾斜面の傾斜角を略同一に設定した点が、上述した第１実施形態と相違する。
【０１０７】
即ち、この第１０実施形態の光源装置１０１が備える導光板１０２は、光源２ａ，２ｂ，２ｃからの光が入射する入射端部１０３と、この入射端部１０３を介して入射される光を内部に導いて出射させる導光板本体１０４とを備えている。導光板本体１０４は、上述した第１実施形態の導光板本体５と同様に、当該導光板本体１０４内を伝搬する光を反射する反射面６と、この反射面６に対向し、反射面６で反射した光を出射する出射面７とを備えている。
【０１０８】
入射端部１０３は、導光板本体１０４の側部に配置されており、これらは一体的に形成されている。入射端部１０３には、各光源２ａ，２ｂ，２ｃから該入射端部１０３を介して導光板１０２内に入射する光の入射方向を互いに異なる複数種類の光となるように制御する入射方向制御部として、３つの凹状反射面（コリメートミラー）１０５ａ，１０５ｂ，１０５ｃが設けられている。
【０１０９】
光源２ａ，２ｂ，２ｃは、入射端部１０３の−Ｚ方向側に、＋Ｚ方向を指向してＸ方向に配列して設けられている。光源２ａからの光は、凹状反射面１０５ａで反射されるとともに略平行光に変換されて、反射面６の複数の調整部６ａを指向するように導光板本体１０４内に導かれ、調整部６ａの複数の傾斜面で反射されて部分領域７ａから出射される。光源２ｂからの光は、凹状反射面１０５ｂで反射されるとともに略平行光に変換されて、反射面６の調整部６ｂを指向するように導光板本体１０４内に導かれ、調整部６ｂの複数の傾斜面で反射されて部分領域７ｂから出射される。光源２ｃからの光は、凹状反射面１０５ｃで反射されるとともに略平行光に変換されて、反射面６の調整部６ｃを指向するように導光板本体１０４内に導かれ、調整部６ｃの複数の傾斜面で反射されて部分領域７ｃから出射される。
【０１１０】
その他の構成は、上述した第１実施形態と同様である。また、上述したように構成した光源装置７１を、１つのユニットとして、複数のユニットを適宜に配列することにより、図５〜図８に示したものと同様に、被照明体としての液晶パネルの全領域を照明する照明装置を構成することができる。
【０１１１】
（第１１実施形態）
次に、本発明の第１１実施形態について、図１９を参照して説明する。なお、図１〜図３に示したものと実質的に同一の構成部分については同一の番号を付して、その説明の一部を省略する。
【０１１２】
この第１１実施形態の光源装置１１１が備える導光板１１２は、光源１１２ａ，１１２ｂからの光が入射する入射端部１１３と、この入射端部１１３を介して入射される光を内部に導いて出射させる導光板本体１１４とを備えている。導光板本体１１４は、当該導光板本体１１４内を伝搬する光を反射する反射面６と、この反射面６に対向し、反射面６で反射した光を出射する出射面７とを備えている。
【０１１３】
入射端部１１３には、２つの光源１１２ａ，１１２ｂが＋Ｙ方向を指向して配置されている。ここでは、光の進行方向をｚ方向として、光源１１２ａはこれに直交する面内において特定のｘ方向に偏光方向を有するｘ方向直線偏光を出射する光源であり、光源１１２ｂは当該平面内においてｘ方向に直交するｙ方向に偏光方向を有するｙ方向直線偏光を出射する光源である。
【０１１４】
導光板本体１１４の出射面７には、２つの部分領域７ａ，７ｂに対応してフィルタ膜１１５ａ，１１５ｂがそれぞれ設けられている。部分領域７ａに配置されるフィルタ膜１１５ａは、この実施形態では入射されるｘ方向直線偏光を透過し、ｙ方向直線偏光を反射する特性を有する膜である。また、部分領域７ｂに配置されるフィルタ膜１１５ｂは、この実施形態では入射されるｙ方向直線偏光を透過し、ｘ方向直線偏光を反射する特性を有する膜である。
【０１１５】
光源１１２ａから出射して入射端部１１３を介して導光板本体１１４内に導かれたｘ方向直線偏光は、反射面６と出射面７との間で適宜に反射されつつ、フィルタ膜１１５ａを透過して、部分領域７ａから出射される。部分領域７ｂにおいては、ｘ方向直線偏光はフィルタ膜１１５ｂで反射されるため、光源１１２ａからの光が部分領域７ｂから出射されることは抑制される。光源１１２ｂから出射して導光板本体１１４内に導かれたｙ方向直線偏光は、反射面６と出射面７との間で適宜に反射されつつ、フィルタ膜１１５ｂを透過して、部分領域７ｂから出射される。部分領域７ａにおいては、ｙ方向直線偏光はフィルタ膜１１５ａで反射されるため、光源１１２ｂからの光が部分領域７ａから出射されることは抑制される。
【０１１６】
その他の構成は、上述した第１実施形態と同様である。また、上述したように構成した光源装置１１１を、１つのユニットとして、複数のユニットを適宜に配列することにより、図５〜図８に示したものと同様に、被照明体としての液晶パネルの全領域を照明する照明装置を構成することができる。
【０１１７】
なお、以上説明した実施形態は、本発明の理解を容易にするために記載されたものであって、本発明を限定するために記載されたものではない。したがって、上述した実施形態は、当業者により、さまざまな修正及び変更例を容易に設けうると理解されるべきである。上記の開示は、説明のみのためのものであると解釈されるべきであり、限定の意味で解釈されるべきものではない。本発明は、請求項の範囲及びその均等の全範囲のみにより限定される。
【符号の説明】
【０１１８】
１…光源装置
２（２ａ，２ｂ，２ｃ）…光源
３…導光板
４…入射端部
５…導光板本体
６…反射面
６ａ，６ｂ，６ｃ…調整部
７…出射面
８ａ，８ｂ，８ｃ…入射角度調整面
９…光拡散板
１０，１１…照明装置
【図１】
2010050489.tif 000003
【図２】
2010050489.tif 000004
【図３】
2010050489.tif 000005
【図４】
2010050489.tif 000006
【図５】
2010050489.tif 000007
【図６】
2010050489.tif 000008
【図７】
2010050489.tif 000009
【図８】
2010050489.tif 000010
【図９】
2010050489.tif 000011
【図１０】
2010050489.tif 000012
【図１１】
2010050489.tif 000013
【図１２】
2010050489.tif 000014
【図１３】
2010050489.tif 000015
【図１４】
2010050489.tif 000016
【図１５】
2010050489.tif 000017
【図１６】
2010050489.tif 000018
【図１７】
2010050489.tif 000019
【図１８】
2010050489.tif 000020
【図１９】
2010050489.tif 000021
【図２０】
2010050489.tif 000022
【図２１】
2010050489.tif 000023
【国際調査報告】
2010050489.tif 000024
2010050489.tif 000025
2010050489.tif 000026
2010050489.tif 000027